(57)【要約】      （修正有）【課題】混合水栓に連結された給水管と給湯管を損傷させることのないキッチンユニットを提供する。【解決手段】キッチンユニット本体１２を、キッチン床に設置される固定構造物３６と、固定構造物３６に対して昇降可能に配置された可動構造物３８とに分割構成している。キッチンユニット本体に、可動構造物３８を固定構造物３６に対して上下動するように可動構造物３８を昇降させる昇降装置が設けられている。給水管の水と給湯管の湯とを混合する混合水栓４４と、混合水栓４４の吐出し口に一端が連結されて、混合水栓からの湯水混合水を外方に導くフレキシブルホースと、フレキシブルホースの先端に連結された噴射ノズル４８とを備え、かつ混合水栓４４を固定構造物３６に設置し、噴射ノズル４８を可動構造物３８に設置した。【選択図】図１
0003193814.tif 000002
【実用新案登録請求の範囲】
【請求項１】
上面にシンクが設けられたキッチンユニット本体が、キッチン床に設置される固定構造物と、上面に前記シンクを装備し、かつ前記固定構造物に対して昇降可能に配置された可動構造物とに分割構成され、
前記キッチンユニット本体に、前記可動構造物を前記固定構造物に対して上下動するように前記可動構造物を昇降させる昇降装置が設けられたキッチンユニットであって、
給水管を介して供給される水と給湯管を介して供給される湯とを温度調節しつつ混合する混合水栓と、前記混合水栓の吐出し口に一端が連結されて、前記混合水栓からの湯水混合水を外方に導くフレキシブルホースと、前記フレキシブルホースの先端に連結された噴射ノズルとを備え、かつ前記フレキシブルホースを前記混合水栓と前記噴射ノズルとの間で垂下させた状態で、前記混合水栓を前記固定構造物に設置し、前記噴射ノズルを前記可動構造物に設置したことを特徴とするキッチンユニット。
【請求項２】
請求項１に記載のキッチンユニットにおいて、
前記固定構造物は、前記キッチンユニット本体の側面から側方に延出されると共に上方に向かって突出し上面が前記可動構造物の上面とほぼ同一面となるように構成された取付部材を有しており、
前記混合水栓を前記取付部材の上面に設置し、前記噴射ノズルを前記可動構造物の上面に設置したことを特徴とするキッチンユニット。
【請求項３】
請求項１に記載のキッチンユニットにおいて、
前記可動構造物上面のシンク近傍に前記噴射ノズルを保持する保持部材を設け、前記噴射ノズルを前記ホルダーに着脱自在に保持するようにし、前記混合水栓を、前記固定構造物の中間部であって、前記可動構造物に接触しない位置に設置したことを特徴とするキッチンユニット。
【考案の詳細な説明】
【技術分野】
【０００１】
本考案は、キッチンユニット本体の上面に加熱調理機器とシンクが設けられ、かつキッチンユニット本体の背面側に食卓用カウンターが設けられたキッチンユニットに関する。
【背景技術】
【０００２】
システムキッチンの分野において、主婦が炊事作業中でも家族とコミュニケーションを取る目的で、対面式キッチンユニットが採用されている。
従来の対面式キッチンユニットにはキッチンユニット本体の背面側の外縁部に食卓用カウンターを設けたものがある（例えば、特許文献１参照）。食卓用カウンターはキッチンユニット本体の上面とほぼ同一の高さに設けられており、食事の際にキッチンユニット本体の上面も食卓として有効利用できる。
【０００３】
食卓用カウンターがキッチンユニット本体の上面とほぼ同一の高さに設けられている場合には、食卓用カウンターが調理台としての高さとなり、通常の食卓としての高さより高くなり食事の際に違和感が生じ易い。このため、食卓用カウンターをキッチンユニット本体の上面より低い位置に設けることが検討されている。しかし、食卓用カウンターをキッチンユニット本体の上面より低い位置に設けた場合、調理が終了した段階で、キッチンユニット本体の上面と食卓用カウンターとが高さが異なることから、食事の際にキッチンユニット本体の上面を食卓として有効に使えないという課題がある。
【０００４】
本願出願人等は、先に調理台としての高さを食卓としての高さに合わせるためにキッチンユニット本体の上面を上下動できるキッチンユニットを発明し、この発明を特許出願した（特許文献２参照）。
【０００５】
この発明は、図６、図７に示すように構成されている。すなわち、キッチンユニット本体１２の上面に加熱調理機器１４とシンク１６が設けられ、かつキッチンユニット本体１２の背面側の外縁部に食卓用カウンター２０が設けられた対面式のキッチンユニット１０である。上部構造物２４の上面の正面側外縁部に、上部構造物２４の上面とほぼ同一平面となる補助カウンター２８とスライドカウンター２９とが設けられている。符号１８はシンク１６の排水口を示している。
【０００６】
このキッチンユニット１０においては、キッチンユニット本体１２を、食卓用カウンター２０を装備し、かつキッチン床に設置される下部構造物２２と、上面に加熱調理機器１４とシンクを装備し、かつ下部構造物に対して昇降可能に配置された上部構造物２４とに分割構成している。上部構造物２４を支持するように配置された可動部材３２と下部構造物２２に固定されて可動部材３２を上下移動する昇降装置２６とにより上部構造物２４の上面と下部構造物の食卓用カウンター２０の上面とがほぼ同一平面になるように高さ調整できるようにしている。
【先行技術文献】
【特許文献】
【０００７】
【特許文献１】特開２０１１−１９６００号公報
【特許文献２】特許第５３５４８１０号公報
【考案の概要】
【考案が解決しようとする課題】
【０００８】
上記発明のキッチンユニットにおいては、キッチンユニット本体の上面に、給水管を介して供給される水と給湯管を介して供給される湯とを温度調節しつつ混合する混合水栓を設置すると共に、混合水栓の吐出し口に混合水栓からの湯水混合水をキッチンユニット本体の上面のシンク内に吐出す吐出しノズル３０が設置されている。上部構造物２４を上下動させるために、混合水栓に連結される給水管と給湯管を横向きのＵ字状に湾曲させた状態で取り付けている。
【０００９】
このため、上部構造物２４を上下動した際に上部構造物２４が給水管と給湯管に接触した場合に、常時水圧が加わっている給水管と給湯管を損傷させて水漏れ等を生じさせるおそれがあるという課題がある。
【００１０】
本考案は、上記の課題を解決するためになされたもので、混合水栓に連結された給水管と給湯管を損傷させることなくキッチンユニット本体の上下動作をスムーズに行うことができるキッチンユニットを提供することを目的とする。
【課題を解決するための手段】
【００１１】
以下の構成はそれぞれ上記の課題を解決するための手段である。
〈構成１〉
上面にシンクが設けられたキッチンユニット本体が、キッチン床に設置される固定構造物と、上面に前記シンクを装備し、かつ前記固定構造物に対して昇降可能に配置された可動構造物とに分割構成され、前記キッチンユニット本体に、前記可動構造物を前記固定構造物に対して上下動するように前記可動構造物を昇降させる昇降装置が設けられたキッチンユニットであって、給水管を介して供給される水と給湯管を介して供給される湯とを温度調節しつつ混合する混合水栓と、前記混合水栓の吐出し口に一端が連結されて、前記混合水栓からの湯水混合水を外方に導くフレキシブルホースと、前記フレキシブルホースの先端に連結された噴射ノズルとを備え、かつ前記フレキシブルホースを前記混合水栓と前記噴射ノズルとの間で垂下させた状態で、前記混合水栓を前記固定構造物に設置し、前記噴射ノズルを前記可動構造物に設置したことを特徴とするキッチンユニット。
【００１２】
〈構成２〉
構成１に記載のキッチンユニットにおいて、前記固定構造物は、前記キッチンユニット本体の側面から側方に延出されると共に上方に向かって突出し上面が前記可動構造物の上面とほぼ同一面となるように構成された取付部材を有しており、前記混合水栓を前記取付部材の上面に設置し、前記噴射ノズルを前記可動構造物の上面に設置したことを特徴とするキッチンユニット。
【００１３】
〈構成３〉
構成１に記載のキッチンユニットにおいて、前記可動構造物上面のシンク近傍に前記噴射ノズルを保持する保持部材を設け、前記噴射ノズルを前記ホルダーに着脱自在に保持するようにし、前記混合水栓を、前記固定構造物の中間部であって、前記可動構造物に接触しない位置に設置したことを特徴とするキッチンユニット。
【考案の効果】
【００１４】
〈構成１の効果〉
混合水栓を固定構造物に設置し、噴射ノズルを可動構造物に設置したことにより、常時水圧が加わっている給水管と給湯管が静止した状態で可動構造物を上下動できる。したがって、可動構造物の可動により給水管と給湯管に外力が加わることがないので、損傷するおそれがなく安全である。なお、フレキシブルホースには可動構造物の可動中や不使用時に水圧がほとんど加わっていないので、可動構造物の可動中にフレキシブルホースに強い外力が加わって万一損傷しても大事に至ることはない。
〈構成２の効果〉
既設のキッチンユニットに取付部材を形成することにより混合水栓を簡単に固定構造物に設置できる。混合水栓を、可動構造物の上面とほぼ同一面に設置したことにより、混合水栓の開閉操作を噴射ノズルの近傍でスムーズに行うことができる。
〈構成３の効果〉
混合水栓をより安定した位置に設置できる。車椅子使用者でも混合水栓の開閉操作を簡単かつ着実に行うことができる。
【図面の簡単な説明】
【００１５】
【図１】実施例１のキッチンユニットの概要を正面から示す説明図で、（ａ）は同キッチンユニット本体の可動構造物の移動前の状態を示す説明図、（ｂ）は同可動構造物の移動後の状態を示す説明図である。
【図２】実施例１のキッチンユニットの概要を側面から示す説明図である。
【図３】同キッチンユニットに使用されている混合水栓と同混合水栓に連結された給水管、給湯管、フレキシブルホースおよび噴射ノズルの取付け状態を示す説明図で、（ａ）は側面図、（ｂ）は正面図である。
【図４】実施例２のキッチンユニットの概要を正面から示す説明図で、（ａ）は同キッチンユニット本体の可動構造物の移動前の状態を示す説明図、（ｂ）は同可動構造物の移動後の状態を示す説明図である。
【図５】実施例２のキッチンユニットの概要を側面から示す説明図である。
【図６】従来のキッチンユニットの概要を正面から示す説明図で、（ａ）は同キッチンユニット本体の上部構造物の移動前の状態を示す説明図、（ｂ）は同上部構造物の移動後の状態を示す説明図である。
【図７】同従来のキッチンユニットを示す平面図である。
【考案を実施するための形態】
【００１６】
以下、本考案の実施の形態を実施例毎に説明する。
【実施例１】
【００１７】
図１は実施例１のキッチンユニット１０の概要を正面から示した図で、（ａ）はキッチンユニット本体１２の可動構造物３８の移動前の状態、（ｂ）は同可動構造物３８の移動後の状態をそれぞれ示している。図２は同キッチンユニットの概要を側面から示す説明図である。図３は 同キッチンユニットに使用されている混合水栓と同混合水栓に連結された給水管、給湯管、フレキシブルホースおよび噴射ノズルの取付け状態を示す説明図で、（ａ）は側面図、（ｂ）は正面図である。なお、図1〜３には図６および図７と共通する部分に同一符号を付して重複説明を省略する。
【００１８】
図１に示すように、キッチンユニット１０は、キッチンユニット本体１２の上面に加熱調理機器１４とシンク１６が設けられ、かつキッチンユニット本体１２の背面側の外縁部に食卓用カウンター２０が設けられ、対面式に構成されている。加熱調理機器１４は、ガスコンロ式でもＩＨクッキングヒーター式でもよい。図示を省略したが、加熱調理機器１４およびシンク１６には、給電、ガス、給水、給湯、排水等の各種配管に対応する周知の管体が連結されている。
【００１９】
キッチンユニット本体１２は、キッチン床に設置される固定構造物３６と、固定構造物３６の上に配置された可動構造物３８とに分割された構成とされている。可動構造物３８は固定構造物３６に対して上下移動可能にされている。なお、固定構造物３６は図６に示した下部構造物２２とほぼ同一構成である。可動構造物３８は図６に示した上部構造物２４とほぼ同一構成である。
【００２０】
可動構造物３８の下方に、固定構造物３６を固定した状態で可動構造物３８を昇降させる昇降装置（図示せず）が設けられている。この昇降装置は、図６に示した公知の昇降装置２６と同一でもよいが、本考案はこれに限定されるものではない。
【００２１】
加熱調理機器１４とシンク１６は可動構造物３８の上面に装備されている。食卓用カウンター２０は、図２に示すように、固定構造物３６の背面側の外縁部に設けられている。食卓用カウンター２０は、可動構造物３８の上面より低い位置に設けられている。
【００２２】
図示を省略したが、固定構造物３６に対して上下動するように可動構造物３８を昇降させる昇降装置２６は、可動構造物３８の上面が調理時の高さから食卓用カウンター２０の上面の高さまでの範囲（Ｈ）で可動構造物３８を上下動するように設けられている。Ｈは標準的には１５０ｍｍ〜１９０ｍｍである。
【００２３】
キッチンユニット１０本体の上面に混合水栓４４と噴射ノズル４８とが設置されている。混合水栓４４は、給水管４０と給湯管４２が連結され、給水管４０を介して供給される水と給湯管４２を介して供給される湯とを温度調節しつつ混合する。混合水栓４４の吐出し口に、混合水栓４４からの湯水混合水を外方に導くフレキシブルホース４６の一端が連結されている。噴射ノズル４８は、フレキシブルホース４６の先端に連結されている。
【００２４】
固定構造物３６は、キッチンユニット１０本体の側面から側方に延出されると共に上方に向かって突出し、上面が可動構造物３８の上面とほぼ同一面となるように構成された取付部材５０を有している。混合水栓４４は取付部材５０の上面に設置されている。噴射ノズル４８は可動構造物３８上面のシンク１６近傍に設置されている。フレキシブルホース４６は混合水栓４４と噴射ノズル４８との間でＵ字状に垂下された状態とされている。フレキシブルホース４６は、噴射ノズル４８が可動構造物３８と共に上下動したときに順次Ｕ字状を形成しながら追従する。噴射ノズル４８は可動構造物３８に固定されてもよいが、着脱自在な状態に設置されてもよい。
【００２５】
混合水栓４４を固定構造物３６に設置し、噴射ノズル４８を可動構造物３８に設置したことにより、常時水圧が加わっている給水管４０と給湯管４２を静止した状態で可動構造物３８を可動できる。したがって、可動構造物３８の可動により給水管と給湯管に外力が加わることがないので、損傷するおそれがなく安全である。なお、フレキシブルホース４６には不使用時に水圧がほとんど加わっていないので、可動構造物３８の可動中にフレキシブルホース４６に強い外力が加わって万一損傷しても大事に至ることはない。
【実施例２】
【００２６】
図４は実施例２のキッチンユニットの概要を正面から示す説明図で、（ａ）は同キッチンユニット本体の上部構造物の移動前の状態を示す説明図、（ｂ）は同上部構造物の移動後の状態を示す説明図である。図５は 実施例２のキッチンユニットの概要を側面から示す説明図である。なお、図４、図５には図１ないし３と共通する部分に同一符号を付して重複説明を省略する。
【００２７】
実施例２のキッチンユニットにおいては、可動構造物３８上面のシンク１６近傍に噴射ノズル４８を保持する保持部材５２を設け、噴射ノズル４８を取付部材５２に着脱自在に保持するようにしている。保持部材５２には噴射ノズル４８を嵌入させて保持するＣ字状のホルダー５３を備えている。混合水栓４４は、固定構造物３６の中間部であって、可動構造物３８に接触しない位置に設置されている。
【００２８】
混合水栓４４は、周知構成のもの、例えば、図４に示すように円筒状の水栓本体５４の一端に温度調節ハンドル５６、他端に開閉ハンドル５８をそれぞれ連結した構造が使用される。混合水栓４４は、給水管４０と給湯管４２が連結され、給水管４０を介して供給される水と給湯管４２を介して供給される湯とを温度調節しつつ混合する。混合水栓４４の吐出し口に、混合水栓４４からの湯水混合水を外方に導くフレキシブルホース４６の一端が連結されている。
【００２９】
噴射ノズル４８は、フレキシブルホース４６の先端に連結されている。フレキシブルホース４６は混合水栓４４と噴射ノズル４８との間でＵ字状に垂下された状態とされている。フレキシブルホース４６は、噴射ノズル４８が可動構造物３８と共に上下動したときに順次Ｕ字状を形成しながら追従する。噴射ノズル４８は可動構造物３８に固定されてもよいが、着脱自在な状態に設置されてもよい。
【００３０】
混合水栓を、固定構造物３６の中間部であって、可動構造物３８に接触しない位置に設置することにより、混合水栓をより安定した位置に設置できる。車椅子使用者でも混合水栓の開閉操作を簡単かつ着実に行うことができる。
【符号の説明】
【００３１】
１０  キッチンユニット
１２  キッチンユニット本体
１４  加熱調理機器
１６  シンク
１８  排水口
２０  食卓用カウンター
２２  下部構造物
２４  上部構造物
２６  昇降装置
２８  補助カウンター
２９  スライドカウンター
３０  吐出しノズル
３２  可動部材
３４  不動部材
３６  固定構造物
３８  可動構造物
４０  給水管
４２  給湯管
４４  混合水栓
４５  開閉レバー
４６  フレキシブルホース
４８  噴射ノズル
５０  取付部材
５２  保持部材
５３  ホルダー
５４  水栓本体
５６  温度調節ハンドル
５８  開閉ハンドル
【図１】
0003193814.tif 000003
【図２】
0003193814.tif 000004
【図３】
0003193814.tif 000005
【図４】
0003193814.tif 000006
【図５】
0003193814.tif 000007
【図６】
0003193814.tif 000008
【図７】
0003193814.tif 000009